(57)【要約】【課題】本発明は、各防振材で連結部材を挟持し、この連結部材を駆動部ユニットベースに着脱自在とし、各防振材の交換等を容易化することを目的とする。【解決手段】本発明による動揺安定装置の防振構造は、搭載用ベース(1)に設けた固定用ボルト(3)に固定用シャフト(4)を設け、この固定用シャフト(4)に一対の防振材(5,8)で挟持した連結部材(20)によって防振ユニット部(30)を形成し、この防振ユニット部(30)を連結部材(20)の取付ボルト(12)を介して駆動部ユニットベース(7)に対し着脱自在とする構成である。【選択図】図１
2009085369.tif 000002
【特許請求の範囲】
【請求項１】
搭載用ベース(1)上に固定用ボルト(3)を介して固定された固定用シャフト(4)と、前記固定用シャフト(4)の外周に設けられ輪状をなす第１防振材(5)と、前記固定用シャフト(4)の外周に設けられて前記第１防振材(5)上に位置すると共に断面凹形状をなす連結部材(20)と、前記連結部材(20)の外周に形成された取付用鍔部(20a)と、前記固定用シャフト(4)の外周に設けられ前記連結部材(20)上に位置して輪状をなす第２防振材(8)と、前記固定用シャフト(4)の端部にナット(10)を介して設けられ前記第２防振材(8)を前記連結部材(20)側へ押圧するための押え板(9)と、前記取付用鍔部(20a)に設けられた取付ボルト(12)と、を備え、
前記固定用シャフト(4)、第１防振材(5)、連結部材(20)、第２防振材(8)、押え板(9)、ナット(10)及び取付ボルト(12)により防振ユニット部(30)を構成し、前記防振ユニット部(30)は取付用の駆動部ユニットベース(7)に対し前記取付ボルト(12)を介して着脱自在であることを特徴とする動揺安定装置用防振構造。
【請求項２】
前記固定用シャフト(4)は、断面Ｔ字型をなす中空軸よりなり、前記固定用ボルト(3)の頭部(3b)は前記搭載用ベース(1)の凹部(2)内に位置していることを特徴とする請求項１記載の動揺安定装置用防振構造。
【発明の詳細な説明】
【技術分野】
【０００１】
本発明は、動揺安定装置用防振構造に関し、特に、第１、第２防振材で連結部材を挟持して防振ユニット部を形成し、この防振ユニット部を駆動部ユニットベースに対して着脱自在とするための新規な改良に関する。
【背景技術】
【０００２】
従来、用いられていたこの種の動揺安定装置用防振構造としては、社内製作のみで特許出願及び社外発表等を行っていないため、その構成を示す特許文献等を挙げていないが、図２に示す構成を開示することができる。
すなわち、図２において符号１で示されるものは、ヘリコプタ等の被搭載部材に取付けるための板状をなす搭載用ベースであり、この搭載用ベース１に形成された凹部２内には固定用ボルト３が貫通してねじ込み式に設けられている。
【０００３】
前記搭載用ベース１を貫通して上方へ突出した前記固定用ボルト３のねじ部３ａには、全体形状が中空状をなし断面形状がほぼＴ字型の固定用シャフト４が螺合されており、この固定用シャフト４の外周で、かつ、前記固定用シャフト４の鍔部４ａ上には、輪状をなす第１防振材５が設けられている。
【０００４】
前記第１防振材５上には、アクチュエータ等の駆動部６に接続するための駆動部ユニットベース７が積層状に設けられ、この駆動部ユニットベース７上には、前記固定用シャフト４の外周に位置して輪状の第２防振材８が設けられている。
前記第２防振材８上には、前記固定用シャフト４のねじ部４ｂの外周に位置して輪状の板体からなる押え板９が積層状に設けられ、前記ねじ部４ｂにはナット１０が取付けられ、このナット１０を締め付けることにより、前記各防振材５，８が前記駆動部ユニットベース７に対して固定される。
【０００５】
前述の構成の動揺安定装置用防振構造においては、前記駆動部ユニットベース７を前記駆動部６に取付け、前記搭載用ベース１をヘリコプタ等に取付けることにより、前記被搭載用部材から駆動部６に対する振動は、前記各防振材５，８により吸収され、振動伝達が防止されるように構成されている。
【発明の開示】
【発明が解決しようとする課題】
【０００６】
従来の動揺安定装置用防振構造は、以上のように構成されていたため、次のような課題が存在していた。
すなわち、駆動部に接続される駆動部ユニットベース７が一対の防振材で挟持されているため、例えば、駆動部ユニットベースから取り外してメンテナンスを行う場合、外部から防振構造のみを取出すことは困難であった。
また、例えば、被搭載部材であるヘリコプタ又は飛行機等の固有振動数に合わせた防振材を有する防振構造に交換する場合、各防振材を分解しなければならず、交換作業には多大の労力と時間とを必要とし、迅速な作業の要望には応じることは困難であった。
【課題を解決するための手段】
【０００７】
本発明による動揺安定装置用防振構造は、搭載用ベース上に固定用ボルトを介して固定された固定用シャフトと、前記固定用シャフトの外周に設けられ輪状をなす第１防振材と、前記固定用シャフトの外周に設けられて前記第１防振材上に位置すると共に断面凹形状をなす連結部材と、前記連結部材の外周に形成された取付用鍔部と、前記固定用シャフトの外周に設けられ前記連結部材上に位置して輪状をなす第２防振材と、前記固定用シャフトの端部にナットを介して設けられ前記第２防振材を前記連結部材側へ押圧するための押え板と、前記取付用鍔部に設けられた取付ボルトと、を備え、前記固定用シャフト、第１防振材、連結部材、第２防振材、押え板、ナット及び取付ボルトにより防振ユニット部を構成し、前記防振ユニット部は取付用の駆動部ユニットベースに対し前記取付ボルトを介して着脱自在である構成であり、また、前記固定用シャフトは、断面Ｔ字型をなす中空軸よりなり、前記固定用ボルトの頭部は前記搭載用ベースの凹部内に位置している構成である。
【発明の効果】
【０００８】
本発明による動揺安定装置用防振構造は、以上のように構成されているため、次のような効果を得ることができる。
すなわち、駆動部ユニットベースに断面凹状の連結部材を着脱自在とし、この連結部材に一対の防振材を挟持させて搭載用ベースを固定用ボルトで一体化して防振ユニット部を形成しているため、連結部材を駆動部ユニットベースから離脱させるだけで簡単に防振ユニット部の着脱が可能となる。
また、前述の構造により、防振材の変更、交換、メンテナンスが容易となり、被搭載部材であるヘリコプタ又は飛行機等の固有振動に合わせて振動を少なくすることができる。
【発明を実施するための最良の形態】
【０００９】
本発明は、第１、第２防振材で連結部材を挟持して振動ユニット部を形成し、この防振ユニット部を駆動部ユニットベースに対して着脱自在とするようにした動揺安定装置用防振構造を提供することを目的とする。
【実施例】
【００１０】
以下、図面と共に本発明による動揺安定装置用防振構造の好適な実施の形態について説明する。
尚、従来例と同一又は同等部分には、同一符号を付して説明する。
図１において符号１で示されるものは、ヘリコプタ等の被搭載部材に取付けるための板状をなす搭載用ベースであり、この搭載用ベース１に形成された凹部２内には固定用ボルト３が貫通してねじ込み式に設けられている。
前記固定用ボルト３の頭部３ｂは前記凹部２内に内設されている。
【００１１】
前記搭載用ベース１を貫通して上方へ突出した前記固定用ボルト３のねじ部３ａには、全体形状が中空状をなし断面形状がほぼＴ字型で中空軸状の固定用シャフト４が螺合されており、この固定用シャフト４の外周で、かつ、前記固定用シャフト４の鍔部４ａ上には、輪状をなす第１防振材５が設けられている。
【００１２】
前記第１防振材５上には、全体形状がカップ型で断面形状が凹形状をなす連結部材２０が前記固定用シャフト４の外周に位置して配設されており、この連結部材２０上、すなわち、前記連結部材２０の内側には輪状をなす第２防振材８が前記固定用シャフト４の外周に位置して設けられている。尚、前記各防振材５，８は、周知の防振シリコンゲルで構成されている。
【００１３】
前記第２防振材８上には、前記固定用シャフト４のねじ部４ｂの外周に位置して輪状の板体からなる押え板９が積層状に設けられ、前記ねじ部４ｂにはナット１０が取付けられ、このナット１０を締め付けることにより、前記各防振材５，８が前記連結部材２０を挟持するように構成されている。
【００１４】
前記固定用シャフト４、第１防振材５、連結部材２０、第２防振材８、押え板９及びナット１０により、防振ユニット部３０が構成され、この防振ユニット部３０は、アクチュエータ等の駆動部６の駆動部ユニットベース７に対してその取付用鍔部２０ａに設けられた取付ボルト１２により前記連結部材２０を固定することによって駆動部６側へ装着することができる。
【００１５】
次に、前述の構成において、図１のように、前記駆動部ユニットベース７と搭載用ベース１との間が防振ユニット部３０によって接続されると、搭載用ベース１に対して駆動部６を防振状態で接続することができ、例えば、他の被搭載部材の搭載用ベース１に防振ユニット部３０を駆動部６と共に載せかえる場合、取付ボルト１２を除去して防振ユニット部３０を駆動部６からはずし、その被搭載部材の固有振動数に合わせた防振ユニット部３０の各防振材５，８を簡単に交換した後は、その被搭載用部材に最適な防振特性の防振ユニット部３０として用いることができる。
【図面の簡単な説明】
【００１６】
【図１】本発明による動揺安定装置用防振構造を示す断面図である。
【図２】従来の動揺安定装置用防振構造を示す断面図である。
【符号の説明】
【００１７】
１    搭載用ベース
２    凹部
３    固定用ボルト
３ａ    ねじ部
３ｂ    頭部
４    固定用シャフト
５    第１防振材
６    駆動部
７    駆動部ユニットベース
８    第２防振材
９    押え板
１０    ナット
１２    取付ボルト
２０    連結部材
２０ａ    取付用鍔部
３０    防振ユニット部
【図１】
2009085369.tif 000003
【図２】
2009085369.tif 000004